(57)【要約】【課題】吐水管を台座を介して取付基体に取付固定するに際し、台座と吐水管とを別体に構成した場合において、吐水管に回転力が加わったときに吐水管が取付基体上において回転移動してしまう問題を解決する。【解決手段】取付基体１２の上面に台座３４を着座させ、台座３４とは別体に構成した吐水管２６を台座３４を介して取付基体１２に取り付けるようになした水栓１０の取付構造において、排水栓の遠隔操作のための操作ロッド５２を移動案内する筒状のロッドガイド５６を台座３４上に突出させる状態で設けるとともに台座３４上に突き出た上部５８を吐水管２６に対して隣接して位置させる。そして吐水管２６に部分嵌合用の凹部６４を、上部５８に凸部６６を形成して、それらを吐水管２６の回転方向に部分嵌合させる。【選択図】        図５
2004308214.tif 000002
【特許請求の範囲】
【請求項１】
カウンター等取付基体の上面に台座を着座させ、該台座とは別体に構成した吐水管又は水栓本体を該台座を介して該取付基体に取り付けるようになした水栓の取付構造において、
排水栓の遠隔操作のための操作ロッドを移動可能に挿通させて操作ガイドをなす筒状のロッドガイドを前記台座上に突出させる状態で設けるとともに、該ロッドガイドの該台座より上側に突き出た上部を、前記吐水管又は水栓本体に対して隣接して位置させ、該吐水管又は水栓本体と該ロッドガイドの上部との何れか一方に部分嵌合用の凹部を、他方に凸部を形成して、それらを該吐水管又は水栓本体の回転方向に部分嵌合させたことを特徴とする水栓の取付構造。
【請求項２】
請求項１において、前記ロッドガイドが前記台座及び前記吐水管又は水栓本体と別体に構成してあることを特徴とする水栓の取付構造。
【請求項３】
請求項１，２の何れかにおいて、前記吐水管又は水栓本体と前記ロッドガイドの上部のそれぞれの外周面が円形となしてあり、前記凹部が一方の円周面を部分的に凹陥させた形態で形成してあるとともに、他方の円周面の一部が前記凸部として該凹部に部分嵌合していることを特徴とする水栓の取付構造。
【発明の詳細な説明】
【０００１】
【発明の属する技術分野】
この発明は水栓の取付構造に関し、詳しくは吐水管又は水栓本体を、これとは別体に構成した台座を介してカウンター等取付基体に取り付けるための取付構造に関する。
【０００２】
【発明の背景】
従来より、水栓の取付構造として吐水管又は水栓本体を台座を介してカウンター等取付基体上に着座状態に取り付けるようになしたものが知られている。
ところで、水栓の一種として洗面器や浴槽等水槽の低部に設けた排水栓をポップアップ式で遠隔操作するための操作ロッドと、その操作ロッドを移動可能に挿通させて操作ガイドをなす筒状のロッドガイドとを備えた水栓が用いられている。
【０００３】
例えば下記特許文献１，特許文献２には、そのような操作ロッドを水栓本体を貫通する形態で備えた水栓が開示されている。
従来、吐水管又は水栓本体（詳しくはその殻体）は金属の鋳造品（鋳物）にて構成されており、この場合、吐水管又は水栓本体（以下吐水管の場合について述べる）に台座とロッドガイドとを一体に成形しておくことが可能である。
【０００４】
しかしながら鋳物製の吐水管は必然的に価格が高くなる問題があり、そこで吐水管を棒材又はパイプ材を加工して構成することが考えられている。
このようにすれば吐水管を安価に製造することが可能となる。
【０００５】
但し吐水管を棒材ないしパイプ材の加工によって構成した場合、通常台座を吐水管とは別体に構成しなければならず、而してそのようにした場合、吐水管を台座を介してカウンター等取付基体上に着座状態に取り付けたとき、吐水管が台座に対して相対回転可能となってしまうことから、吐水管の回転方向の固定強度が弱くなってしまう問題を生ずる。
以上吐水管の場合について述べたが、水栓本体を同様に棒材ないしパイプ材の加工によって構成した場合等にも共通の問題が生ずる。
【０００６】
【特許文献１】
特開平７−１７３８６１号公報
【特許文献２】
特開２００２−１６７８２１号公報
【０００７】
【課題を解決するための手段】
本発明の水栓の取付構造はこのような課題を解決するために案出されたものである。
而して請求項１のものは、カウンター等取付基体の上面に台座を着座させ、該台座とは別体に構成した吐水管又は水栓本体を該台座を介して該取付基体に取り付けるようになした水栓の取付構造において、排水栓の遠隔操作のための操作ロッドを移動可能に挿通させて操作ガイドをなす筒状のロッドガイドを前記台座上に突出させる状態で設けるとともに、該ロッドガイドの該台座より上側に突き出た上部を、前記吐水管又は水栓本体に対して隣接して位置させ、該吐水管又は水栓本体と該ロッドガイドの上部との何れか一方に部分嵌合用の凹部を、他方に凸部を形成して、それらを該吐水管又は水栓本体の回転方向に部分嵌合させたことを特徴とする。
【０００８】
請求項２のものは、請求項１において、前記ロッドガイドが前記台座及び前記吐水管又は水栓本体と別体に構成してあることを特徴とする。
【０００９】
請求項３のものは、請求項１，２の何れかにおいて、前記吐水管又は水栓本体と前記ロッドガイドの上部のそれぞれの外周面が円形となしてあり、前記凹部が一方の円周面を部分的に凹陥させた形態で形成してあるとともに、他方の円周面の一部が前記凸部として該凹部に部分嵌合していることを特徴とする。
【００１０】
【作用及び発明の効果】
以上のように本発明は、排水栓の遠隔操作用の操作ロッドを操作ガイドする筒状のロッドガイドを、台座上に突出させる状態で設けるとともに、その突出したロッドガイドの上部を吐水管又は水栓本体に対し隣接して位置させ、そして吐水管又は水栓本体と、そのロッドガイドの上部との何れか一方に部分嵌合用の凹部を、他方に凸部を形成して、それらを吐水管又は水栓本体の回転方向に部分嵌合させたもので、本発明によれば、その部分嵌合に基づいて吐水管又は水栓本体を台座に対して回転規制することができる。
【００１１】
これにより、吐水管又は水栓本体に対して回転方向の力が加えられた場合においても、吐水管又は水栓本体がカウンター等取付基体に対して回転移動してしまう問題を解決することができる。
また本発明によれば、吐水管又は水栓本体を棒材又はパイプ材等の加工によって構成できることから、かかる吐水管又は水栓本体を安価に構成することが可能となる。
【００１２】
本発明ではまた、次のような効果も得られる。
即ち、通常ロッドガイドは吐水管や水栓本体の後部に配置されることから、上記凹部と凸部とを部分嵌合させることで、自動的に吐水管又は水栓本体の回転方向の位置を定めることができ、それらの設置に際して、予め定めた正しい回転方向位置にそれら吐水管又は水栓本体を設置施工することができる。
【００１３】
本発明においては、上記のロッドガイドもまた台座及び吐水管又は水栓本体と別体に構成しておくことができる（請求項２）。
このようにすれば吐水管又は水栓本体，台座，ロッドガイドをそれぞれ独自に製造できることから、それぞれの部品加工の合理化，コストダウンを図ることができ、更に吐水管又は水栓本体，台座，ロッドガイドのそれぞれのデザイン選択の自由度も拡大するなどの効果が得られる。
【００１４】
本発明においては、吐水管又は水栓本体とロッドガイドの上部のそれぞれの外周面を円形となし、何れか一方の円周面を部分的に凹陥させて凹部を形成し、他方の円周面の一部を上記凸部となして、これをその凹部に部分嵌合させるようになすことができる（請求項３）。
更にこの場合においてその凹部の内周面を、他方の円周面の一部からなる凸部と同じ曲率の円弧面となしておくことができ、この場合、凹部と凸部とを全面に亘ってほぼ接触状態で且つ広い面積に亘って嵌合させることができ、回転規制力を大きなものとなすことができる利点が得られる。
【００１５】
【実施例】
次に本発明の実施例を図面に基づいて詳しく説明する。
図１及び図２において、１０は本例の２ハンドル式の水栓（混合水栓）であり、１２は水栓１０を取り付けるための取付基体である。
【００１６】
１４，１６はそれぞれ水側弁部，湯側弁部で、それぞれが取付基体１２に形成された取付穴１８，２０において、取付基体１２に取付固定されている。
ここで水側弁部１４の上部及び湯側弁部１６の上部には、それぞれ取付基体１２上において回転操作式の水側ハンドル２２，湯側ハンドル２４が設けられている。
【００１７】
図１において、２６は水側弁部１４と湯側弁部１６との間の位置において取付基体１２から起立する状態で設けられた吐水管で、先端部に吐水口２８を有している。
【００１８】
この吐水管２６は、取付基体１２の下側（裏側）において継手管３０及び連絡管３２により、水側弁部１４及び湯側弁部１６に連絡されており、それら水側弁部１４及び湯側弁部１６からの水，湯が吐水管２６へと流入して、吐水口２８から混合水として吐水されるようになっている。
【００１９】
本例において、吐水管２６は棒材ないしパイプ材を加工して構成したものであって、その基端から先端にかけて外周面が同じ太さの円形を成している。
【００２０】
図２〜図５に吐水管２６の取付構造が具体的に示してある。
これらの図において、３４は吐水管２６とは別体に構成された円形の台座で、吐水管２６はこの台座３４を介して、取付基体１２に着座する状態で取付穴３６において取付基体１２に取付固定されている。
【００２１】
詳しくは、吐水管２６の下面からは通水部を兼ねた雄ねじ管３８が下向きに突き出していて、この雄ねじ管３８が台座３４の挿通孔４０，取付穴３６、更に取付基体１２の裏面に配した板状の挟持具４２の挿通孔４４を挿通して、取付基体１２の下側まで突き出しており、そこに固定ナット４６がねじ込まれている。
そしてその固定ナット４６のねじ込みにより、台座３４と挟持具４２とがパッキン４８，５０を介して取付基体１２を表裏両側から挟み込む状態に吐水管２６が取付基体１２に取付固定されている。
【００２２】
この例の水栓１０は、図２〜図５に示しているように水槽底部のポップアップ式の排水栓を遠隔操作するための操作ロッド５２を備えており、その操作ロッド５２が、取付基体１２の取付穴３６を貫通して取付基体１２の上側まで延び出している。
この操作ロッド５２の上端部には、Ｌ字状に折れ曲がった摘み５４が設けられている。
【００２３】
５６は円筒形状をなして、その内部に操作ロッド５２を移動可能に挿通させ、操作ロッド５２の操作の際のガイドをなすロッドガイドで、このロッドガイド５６もまた取付穴３６を貫通して、大径をなす上部５８が台座３４上に突き出している。
【００２４】
ロッドガイド５６は、図３〜図５に示しているようにこの大径の上部５８の下側部分に雄ねじ６０を有しており、この雄ねじ６０が、台座３４の貫通の雌ねじ孔６２に上方から下向きにねじ込まれて、台座３４にロッドガイド５６が固定されている。
【００２５】
ここでロッドガイド５６における大径の上部５８は、図２〜図５に示しているように、台座３４上において吐水管２６に隣接した後部に配置されている。
【００２６】
この吐水管２６の後面には、部分的に凹陥した形態の凹部６４が形成されており、そこに外周面が円形状をなすロッドガイド５６の上部５８が一部嵌り込んでいる。
即ち上部５８の円周面の一部が凸部６６を構成して、その凸部６６が、図５（Ｂ）の部分拡大図に明らかに示しているように凹部６４内部に嵌り込んでいる。
【００２７】
凹部６４は、その内周面が上部５８の円周面と同じ曲率で湾曲する円弧状の面とされており、凹部６４が内周面全面に亘って上部５８の円周面の一部、即ち凸部６６と実質的にほぼ接触した状態で嵌り合っている。
【００２８】
以上のような本例によれば、凹部６４と凸部６６との部分嵌合に基づいて、吐水管２６を台座３４に対して回転規制することができる。
これにより、吐水管２６に対して回転方向の力が加えられた場合にも、その吐水管２６が取付基体１２に対して回転移動してしまう問題を解決することができる。
【００２９】
また本例によれば、吐水管２６を棒材又はパイプ材等の加工によって構成できることから、かかる吐水管２６を安価に構成することができる。
【００３０】
更に本例によれば、凹部６４と凸部６６とを部分嵌合させることで、自動的に吐水管２６の回転方向の位置を定めることができ、水栓１０の設置に際して吐水管２６を予め定めた正しい回転方向位置に設置施工することができる。
【００３１】
また本例によれば吐水管２６，台座３４及びロッドガイド５６を独自に製造でき、それぞれの部品加工の合理化，コストダウンを図ることができるとともに、吐水管２６，台座３４，ロッドガイド５６のそれぞれのデザイン選択の自由度が拡大する効果も得られる。
【００３２】
更に本例では、凹部６４と凸部６６とが全周に亘りほぼ接触状態で且つ広い面積に亘って嵌合しているため、回転規制力を大きなものとすることができる。
【００３３】
以上本発明の実施例を詳述したが、これはあくまで一例示である。
例えば本発明は吐水口からの吐水と止水及び水量調節作用をなす主弁を内蔵した水栓本体を、取付基体に回止め状態に取付固定するに際しても適用可能である等、本発明はその趣旨を逸脱しない範囲において種々変更を加えた形態で構成可能である。
【図面の簡単な説明】
【図１】本発明の一実施例の水栓の取付構造を水栓の全体構成とともに示す図である。
【図２】同実施例の取付構造を吐水管とともに示す断面図である。
【図３】同実施例の取付構造を各部材に分解して示す斜視図である。
【図４】同実施例の取付構造を各部材に分解して示す断面図（一部側面図）である。
【図５】同実施例の取付構造の要部を吐水管取付状態で示す図である。
【符号の説明】
１０  水栓
１２  取付基体
２６  吐水管
３４  台座
５２  操作ロッド
５６  ロッドガイド
５８  上部
６４  凹部
６６  凸部
【図１】
2004308214.tif 000003
【図２】
2004308214.tif 000004
【図３】
2004308214.tif 000005
【図４】
2004308214.tif 000006
【図５】
2004308214.tif 000007